【事件の表示】
　平成　７年特許願第１４２２５６号「建築物構築用ジャンピング足場の棧橋機構」拒絶査定に対する審判事件［平成　８年１２月１７日出願公開、特開平　８−３３３８８６］について、次のとおり審決する。
【結　論】
　本件審判の請求は、成り立たない。
【理　由】
１．手続の経緯・本願の請求項１に係る発明
　本願は、平成７年６月８日に出願したものであって、その請求項１に係る発明（以下、「本願の請求項１に係る発明」という。）は、出願当初の明細書及び図面の記載からみて、その特許請求の範囲の請求項１に記載された次の事項により特定されるとおりのものである。
　「縦横の棒材で構成された格子状枠体に複数段の足場板を水平に取り付けてなる足場枠組を建築中の建物の外壁面に吊り棚式に設置し、工事の進捗に伴って足場枠組全体を上方へ移動させる方式の建築物構築作業用ジャンピング足場において、前記格子状枠体の内側の横棒材部分の所定位置に棧橋の一端部をヒンジ構造で取り付け、この棧橋をほぼ垂直に垂れ下げた姿勢から上方回動させて傾斜姿勢からほぼ垂直な姿勢に倒立させ、さらに回転させて外側縦棒材に寄り掛かる姿勢としたことを特徴とする建築物構築作業用ジャンピング足場の桟橋機構。」
　　　　
２．引用文献記載の発明
　これに対して、原査定の拒絶の理由に引用され、本願の出願前に国内に頒布された刊行物である特公平６−８５７２号公報（以下、「引用文献１」という。）には、
「【請求項２】コンクリート型枠を支持できる足場枠組を、コンクリート構造物の外壁面に支持する支持部材であって、先行打設コンクリート構造物の外壁面に固定可能なアンカー金具と、該足場枠組に一体的に固定され、かつ該アンカー金具に係止可能な係止金具とからなり、次の各構成要件を具備することを特徴とする支持部材。
（ａ）該係止金具は足場枠組の側端部に一体的に固定すること。
（ｂ）該係止金具は下方へ漸次拡大形成し、下方へ拡張開放した案内切り欠きを有すること。
（ｃ）該アンカー金具は該コンクリート構造物に設置したアンカーボルトに着脱自在なボルト孔を有すること。
（ｄ）該アンカー金具には該コンクリート構造物の外面から離隔する方向へ突設した支承片を設けていること。
（ｅ）該アンカー金具の支承片には上記係止金具の該案内切り欠き内に係止して該係止金具を支承する支軸を着脱自在に設けること。
（ｆ）該アンカー金具の支承片の内側には該係止金具を該支承片の内側へ案内する案内片を設けていること。
（ｇ）該アンカー金具には揚重機の支柱を回動自在に支承するために上方からＵ字状に切り欠いた支承溝を設けること。」（２〜３欄【特許請求の範囲】【請求項２】）、
「第１図から第３図迄はコンクリート構造物１の構築方法を順次に示しており、第１図はコンクリート構造物１の２階（２Ｆ）から４階（４Ｆ）部分迄が打設を完了して養生を継続している処を示している。次に４Ｆ部分の養生中のコンクリート強度が作業足場枠組２を支持できる程度に達し次第、その次の工程である５Ｆ部分を構築する目的で、コンクリート型枠３を４Ｆ部分迄の既施工コンクリート構造物１上にせり上げるものである。
足場枠組２は約２階建に相当する高さで、その高さ方向を四等分するように上下と中間とを合せて５段階の作業足場４を有し、……１段ステージ４ａと３段ステージ４ｃとの近傍には足場枠組２のフレームに一体に固定した係止金具５があり、その対応位置においてコンクリート構造物１の壁面に取り付けたアンカー金具６があり、係止金具５をアンカー金具６に止着することにより、足場枠組２をコンクリート構造物１の外壁面に取り付けている。……第２図のように４Ｆ部分の上端付近にアンカー金具６を取り付け、これに油圧ジャッキ支柱７を固定し、油圧ジャッキ８……をジャッキ支柱７に吊下する。次いでジャッキ８から垂下したワイヤ９の先端を３段ステージ４ｃ近傍の係止金具５に掛け、ジャッキ８で足場枠組２を吊持している状態と成し、……然る後にジャッキ８で足場枠組２を吊り上げる。３段ステージ４ｃがコンクリート構造物１の４Ｆ部分頂部に設定したジャッキ支柱７のアンカー金具６近くまでくるように吊り上げ、……それから第３図に示す如く……上下の係止金具５と上下のアンカー金具６とを係合連結する。……次に、ワイヤ９の先端部を３段ステージ４ｃの所の係止金具５から外し、ワイヤ９を巻き上げてジャッキ支柱７及び油圧ジャッキ８を撤去し、コンクリート型枠３を水平方向へ前進させ、コンクリート構造物１の５Ｆ部分に該当する構造物を構築するために型枠３をセットして、足場枠組２、コンクリート型枠３、作業足場４のリフトアップ作業は完結する。」（５欄１４行〜６欄２２行及び第１〜３図）と記載され、
　さらに、第１〜３図には、「足場枠組２は、縦横の棒材で構成された格子状枠体に複数段階のステージ４ａ〜４ｅを水平に取り付けたものからなり、該足場枠組２を建築中のコンクリート構造物１の外壁面に吊り棚式に設置し、工事の進捗に伴って該足場枠組２全体を吊り上げ、移動させるコンクリート構造物１の構築のための作業用足場。」が記載されている。
　以上の記載によれば、引用文献１には、
「縦横の棒材で構成された格子状枠体に複数段階のステージ４ａ〜４ｅを水平に取り付けた足場枠組２からなり、該足場枠組２に固定した係止金具５を建築中のコンクリート構造物１の外壁に適当な間隔で取り付けられたアンカー金具６に係合止着させることにより、前記足場枠組２を前記コンクリート構造物１の外壁面に吊り棚式に設置し、工事の進捗に伴って、出来上がった上部構造物躯体に吊り下げられた油圧ジャッキ８で前記足場枠組２全体を吊り上げ、上方へ移動させ、コンクリート構造物１の外壁面に固定し、さらに上部の新しい構造物の構築作業するための作業用足場。」という発明が記載されていると認められる。
　同じく、実願昭５６−９８５２２号(実開昭５８−５５４８号)のマイクロフィルム（以下、「引用文献２」という。）には、
「１．クライミングクレーンにより吊り下げられかつマストの外周面に沿つて昇降自在に取り付けられた踊り場に、該踊り場側から建屋側に掛け渡す足場を取り付け、前記マストと踊り場間には、マストに踊り場を固定するための固定手段を設けたことを特徴とする昇降可能な踊り場。
　２．前記足場は、踊り場に回動自在に取り付けられていることを特徴とする実用新案登録請求の範囲第１項記載の昇降可能な踊り場。」（１頁実用新案登録請求の範囲）、
「踊り場５には足場８が設けられている。該足場８は、踊り場５の端縁部に、ブラケツト９とピン10とを介して回動自在に取り付けられており、必要時には第１図，第２図および第４図に示されるように、建屋17に水平に掛け渡し、不要時にはマスト１側に立て掛けうるようになつている。」（３頁１５〜２０行及び第１、２、４図）、
「踊り場５は第１図に示されるように、マスト１に装着されたクライミングクレーンのクレーン本体２の下部に、ワイヤロープ３および吊り環４を通じて吊り下げられ、クレーン本体２の昇降移動に追従してマスト１に沿い昇降移動する。
　そして、踊り場５を第１図，第４図に仮想線で示される建築中の建屋16の高さ位置に対応して、マスト１の長さ方向の所望位置に停止させ、予め踊り場５に取り付けられている足場８を建屋16側に回動させ、建屋16に水平に掛け渡すことによつて、踊り場５から建屋16へ作業員が自由に乗り移ることができる。」（５頁７〜１８行及び第１、４図）及び
「本考案は固定手段を介してマストの長さ方向の任意の位置に踊り場を固定し、該踊り場を単独で建築用の足場として使用できる効果もある。」（７頁７〜１０行）と記載されている。
　　　　
３．対比・判断
　本願の請求項１に係る発明と引用文献１記載の発明とを比較すると、
　引用文献１記載の発明の「複数段階」、「ステージ４ａ〜４ｅ」、「コンクリート構造物１」又は「構造物」は、本願の請求項１に係る発明の「複数段」、「足場板」、「建物」又は「建築物」に相当しており、また、本願の請求項１に係る発明における「ジャンピング足場」とは、本願の明細書の段落【０００２】に、「この種のジャンピング足場は、地面を支持基盤として設置するのではなく、建築中の建物の外壁面に吊り棚式に設置して適時に上方へ移動させるものであり、その移動作業（ジャンピングまたは盛り替えと呼ぶ）にタワークレーンなどの大型揚重機を使用しないという特徴を有している。」と記載され、定義されており、引用文献１記載の発明の「作業用足場」も該本願の明細書で定義された「ジャンピング足場」に相当するものということができるから、本願の請求項１に係る発明と引用文献１記載の発明とは、
「縦横の棒材で構成された格子状枠体に複数段の足場板を水平に取り付けてなる足場枠組を建築中の建物の外壁面に吊り棚式に設置し、工事の進捗に伴って足場枠組全体を上方へ移動させる方式の建築物構築作業用ジャンピング足場」である点で一致しているが、
　本願の請求項１に係る発明は、格子状枠体の内側の横棒材部分の所定位置に棧橋の一端部をヒンジ構造で取り付け、この棧橋をほぼ垂直に垂れ下げた姿勢から上方回動させて傾斜姿勢からほぼ垂直な姿勢に倒立させ、さらに回転させて外側縦棒材に寄り掛かる姿勢としているのに対して、引用文献１には、そのような記載がない点、で相違している。
　そこで、上記相違点について検討すると、
　引用文献２には、「マスト１の外周面に沿って昇降自在に取り付けられた踊り場５の端縁部に、ブラケット９とピン10を介して回動自在に足場８を取り付け、必要時には足場８を建屋16側に回動させ、建屋16に掛け渡し、不要時にはマスト１側に立て掛けうるようにした建築用の足場として使用できる踊り場」が記載されていると認められ、引用文献２記載の発明も本願の請求項１に係る発明の棧橋に相当する足場の建屋への掛け渡し作業と、踊り場昇降時に足場をマスト側に立て掛けうるようにし撤収作業を簡単に能率よく行える作用・効果を奏するものということができ、そして、引用文献１記載の発明も引用文献２記載の発明も建築用の足場として使用されるものという共通する技術分野に属し、引用文献１記載の発明に上記引用文献２記載の発明を結び付けることを妨げる事情も認められないから、上記引用文献２記載の発明を引用文献１記載の発明に付加することができるものである。
　そして、上記相違点における本願の請求項１に係る発明の棧橋の一端部を格子状枠体の内側の横棒材部分の所定位置に取り付けたり、棧橋を外側縦棒材に寄り掛かる姿勢で収納することは、引用文献１記載の発明に上記引用文献２記載の発明を具体的に適用するに際して、当業者が容易に設計できることにすぎない。
　　　　　　
４．むすび
　したがって、本願の請求項１に係る発明は、上記引用文献１及び２記載の発明に基いて当業者が容易に発明をすることができたものであるから、特許法第２９条第２項の規定により特許を受けることができない。
　よって、結論のとおり審決する